(57)【特許請求の範囲】
【請求項１】
人体の頭部を載せる上面体と、
上面体と上下方向に対向している下面体と、
寝る人の丈方向に所定間隔置いて位置し、寝る人の丈方向と直角方向に互いに平行な状態で上面体と下面体との間に挟みこまれている第一袋体及び第二袋体と、
第一袋体及び第二袋体と連通されている副袋と
下面体に対する上面体の高さ及び傾斜を制限できる制限手段と、を備え、
副袋と第一袋体及び第二袋体との間で充填物を出し入れすることにより、下面体に対する上面体の高さ及び傾斜を調整できることを特徴とする枕。
【請求項２】
寝る人の丈方向において、第一袋体は人体の頭頂部側に位置し、第二袋体は人体の頚部側に位置することを特徴とする請求項１に記載の枕。
【請求項３】
第一袋体及び第二袋体が副袋と連通されている部分には開閉自在のストッパーがそれぞれ設けられていることを特徴とする請求項1または２に記載の枕。
【請求項４】
上面体の表面にクッションがさらに設けられていることを特徴とする請求項１乃至３のいずれかに記載の枕。
【請求項５】
枕及びクッションを包み込む外袋をさらに備えることを特徴とする請求項４に記載の枕。
【発明の詳細な説明】
【技術分野】
【０００１】
本発明は、枕に関するものである。
【背景技術】
【０００２】
従来、そば殻、もみ殻、樹脂パイプ又は樹脂ビーズなどの各種粒状充填物を袋体内に充填して使用する枕が知られている。
このような枕では、充填物の一部を出し入れすることによって枕の高さを自由に調節することができる。
【０００３】
このような枕として特開２００６−６８０９９の枕１０１が提案されている。
図５に示すように、枕１０１は袋体１０２内に充填物１０３を充填してなる枕であって、袋体１０２には充填物１０３の出入口１０４が形成されているとともに出入口１０４と連通する中空路を有する筒体１０５が設けられている。
出入口１０４から充填物１０３の一部を出し入れすることによって、枕１０１の高さを自由に調節することができるようになっている。
【特許文献１】特開２００６−６８０９９
【発明の開示】
【発明が解決しようとする課題】
【０００４】
しかし、上記の枕１０１では、枕の高さを調節することはできても、使用者の頭部を載せる枕の上面の傾斜を変えることができないため、使用者の好みに合わせることができないという問題があった。また、充填物１０３を出し入れして枕の高さを調節することによって枕の硬軟が変化し、使用者の使用感が変わってしまうという問題があった。
【０００５】
上記点より本発明は、枕の硬軟を維持したまま使用者の好みの高さ及び傾斜を調整することができる枕を提供しようとするものである。
【課題を解決するための手段】
【０００６】
上記課題を解決するため、請求項１の枕は、人体の頭部を載せる上面体と、上面体と上下方向に対向している下面体と、寝る人の丈方向に所定間隔置いて位置し、寝る人の丈方向と直角方向に互いに平行な状態で上面体と下面体との間に挟みこまれている第一袋体及び第二袋体と、第一袋体及び第二袋体と連通されている副袋と、下面体に対する上面体の高さ及び傾斜を制限できる制限手段と、を備え、副袋と第一袋体及び第二袋体との間で充填物を出し入れすることにより、下面体に対する上面体の高さ及び傾斜を調整できる。
【０００７】
請求項２の枕は、寝る人の丈方向において、第一袋体が人体の頭頂部側に位置し、第二袋体が人体の頚部側に位置する。
【０００８】
請求項３の枕は、第一袋体及び第二袋体が副袋と連通されている部分には開閉自在のストッパーがそれぞれ設けられている。
【０００９】
請求項４の枕は、上面体の表面にクッションがさらに設けられている。
【００１０】
請求項５の枕は、枕及びクッションを包み込む外袋をさらに備える。
【発明の効果】
【００１１】
請求項１の枕によれば、第一袋体及び第二袋体の内部の充填物の量をそれぞれ調整することによって、下面体に対する上面体の高さ及び傾斜を調整することができる。
また、充填物の量を出し入れしても、頭部を載せる上面体自体の硬軟は変化しない。
したがって、枕の硬軟を維持したまま使用者の好みの高さ及び傾斜を調整することができる。
また、使用者の好みに合わせた高さ及び傾斜となるように、下面体に対する上面体の高さ及び傾斜を制限することができる。
したがって、使用者の好みの高さ及び傾斜に調整する際に、第一袋体及び第二袋体に入れる充填物の量を容易に調整することができる。
【００１２】
請求項２の枕によれば、後頭部が上面体の第一袋体と第二袋体の間の位置に接触する。
したがって、上面体はより安定した状態で頭部を支持することができる。
【００１３】
請求項３の枕によれば、第一袋体及び第二袋体が副袋と連通されている部分には開閉自在のストッパーがそれぞれ設けられていることにより、副袋と第一袋体及び第二袋体との間で充填物を移動可能または移動制限することができる。
したがって、充填物を移動可能にすると使用者の好みの高さ及び傾斜に容易に調整することができ、充填物を移動制限すると枕の使用を続けても高さ及び傾斜が変化することなく、使用者の好みに合った高さ及び傾斜を維持することができる。
【００１４】
請求項４の枕によれば、クッションを介して使用者の頭部を支持することができる。
したがって、クッションを選択することにより、使用者の好みの枕の硬軟を選択することができる。
【００１５】
請求項５の枕によれば、外袋だけを取り外して洗濯することができる。
したがって、枕を使用する際に、枕の衛生状態を向上させることができる。
【発明を実施するための最良の形態】
【００１６】
以下、本発明の実施形態を図面に基づいて説明する。
図１は、本発明の一実施形態である枕１の側面図である。
図１から図４中にある直線の矢印は人の丈方向を示している。
【００１７】
枕１は、人体２０の頭部を載せる上面体２と上面体２と上下方向に対向している下面体３と、寝る人の丈方向に所定間隔置いて位置し、寝る人の丈方向と直角方向に互いに平行な状態で上面体２と下面体３との間に挟みこまれている第一袋体４及び第二袋体５と、第一袋体４及び第二袋体５と連通されている副袋６と、を備えている。
【００１８】
副袋６と第一袋体４及び第二袋体５との間で充填物を出し入れすることにより、下面体３に対する上面体２の高さ及び傾斜を調整できる。
上面体２及び下面体３は、略矩形上の板からなる。
【００１９】
第一袋体４及び第二袋体５は可撓性の布からなる筒状の袋体であり、第一袋体４及び第二袋体５の内部に充填物を収容する。
充填物は、粒状のものであればよく、枕用充填物として汎用されているそば殻やもみ殻などの天然素材またはパイプやビーズなどの樹脂成形品を使用することができる。
寝る人の丈方向において、第一袋体４は人体２０の頭頂部側に位置し、第二袋体は人体２０の頚部側に位置する。
第一袋体４及び第二袋体５は、それぞれ上部が上面体２の下表面と接着又は縫着されており、下部が下面体３の上表面と接着又は縫着されている。
【００２０】
第一袋体４及び第二袋体５の一端は、それぞれ副袋６と連通されている。
第一袋体４及び第二袋体５が副袋６と連通されている部分には開閉自在のストッパー７が設けられている。
ストッパー７は、可撓性の紐体からなる。
この紐を第一袋体４及び第二袋体５の周囲に巻きつけた状態で紐を結索することにより、副袋６と第一袋体４及び第二袋体５との間で充填物の移動を制限することができる。
結索されていた紐体を解くと、副袋６と第一袋体４及び第二袋体５との間で充填物の移動が可能となる。
【００２１】
第一袋体４、第二袋体５及び副袋６の内部には充填物が収容されており、第一袋体４及び第二袋体５の内部にある充填物の量を調整することにより、枕１の硬軟を維持したまま下面体３に対する上面体２の高さ及び傾斜を調整できる。
第一袋体４及び第二袋体５の内部に収容しきれない充填物は、副袋６の内部に収容されるようになっている。
副袋６は上面体２と下面体３に挟まれ、人の丈方向に第一袋体４と第二袋体５との間の空間に収容することができる。
【００２２】
例えば、図１は第一袋体４の内部に最大限まで充填物を収容し、第二袋体５の内部にほとんど充填物がない状態で、ストッパー７により充填物の移動を制限した場合を示している。
【００２３】
枕１は下面体３に対する上面体２の高さ及び傾斜を制限できる制限手段を備えている。
制限手段は、下面体３に設けられている係止片８と上面体２に設けられている受部９とから構成されている。
【００２４】
係止片８は可撓性の帯状体からなる。
係止片８の先端には面ファスナー８ａが縫着されており、基端は下面体３の下表面に接着又は縫着されている。
係止片８は、寝る人の丈方向と直角方向に対向する下面体３の辺から計４本延出している。
【００２５】
受部９は略矩形状の面ファスナーからなり、寝る人の丈方向と直角方向が長軸となるように上面体２の上表面に計４本接着又は縫着されている。
係止片８の面ファスナー８ａが上面体２の上表面に回りこみ、受部９の面ファスナー表面に押し付けられることにより係止片８が係止されるようになっている。
【００２６】
面ファスナー８ａは、受部９の面ファスナー表面であればどこででも係止されるようになっている。
面ファスナー８ａの係止位置を調整することによって、下面体３に対する上面体２の最大高さを制限することができる。
下面体３に対して上面体２が高くしたい場合は、面ファスナー８ａの係止位置を上面体２の端に近づけ、下面体３に対して上面体２が低くしたい場合は、面ファスナー８ａの係止位置を上面体２の中心に近づける。
【００２７】
また、寝る人の丈方向に並ぶ２本の係止片８の面ファスナー８ａの係止位置が異なった状態で第一袋体４及び第二袋体５に充填物の量を調整すると、下面体３に対して上面体２は傾斜する（図１参照）。
【００２８】
上面体２の上表面には、目盛り１０が受部９と並んでそれぞれ接着又は縫着されている。
これらの目盛り１０は、上表面２の高さ及び傾斜を調整する際に面ファスナー８ａを受部９に係止する位置の目安となる。
【００２９】
上面体２の上表面にはクッション１１が設けられている。
本実施形態では、枕１の硬軟はこのクッション１１の硬軟に依存するので、充填物の出し入れによって枕１の硬軟が変化し使用者の使用感が変わってしまう虞がない。
クッション１１には、可撓性の紐からなる計６本の結索紐１２が寝る人の丈方向に延出している。
【００３０】
結索紐１２は、それぞれ下面体３から寝る人の丈方向に延出している結索紐１３と結索される。
結索紐１３は可撓性の紐からなり、基端が下面体３の下表面に接着又は縫着されている。
【００３１】
本実施形態では、更に、枕及びクッションを包み込む外袋（図示せず）を備えている。
外袋は可撓性の布からなり、下面体３に対する上面体２の高さ及び傾斜が変わっても枕及びクッションを収容できる形状及び大きさとなっている。
【００３２】
上記実施形態では、上面体２が板からなるが、これに限定されることなく、上面体自体にクッション性を有するものであってもよい。
【００３３】
また、上記実施形態では、ストッパー７が可撓性の紐体からなるが、これに限定されることなく、例えばクリップであってもよい。
【００３４】
なお、図面の実施形態に基づき本発明を説明したが、本発明は上記実施形態に何ら限定されるものではなく、本発明の趣旨を逸脱しない範囲内で種々改良変形が可能であることは容易に推察できるものである。
【図面の簡単な説明】
【００３５】
【図１】本発明の一実施形態を示す枕の側面図である。
【図２】図１に示す枕の上面図であり、上面体及びクッションを除去した状態を示す。
【図３】図１に示す枕の上面図であり、クッションを除去した状態を示す。
【図４】クッションの上面図である。
【図５】従来の枕の斜視図である。
【符号の説明】
【００３６】
１        枕
２        上面体
３        下面体
４        第一袋体
５        第二袋体
６        副袋
７        ストッパー
８        係止片
８ａ      面ファスナー
９        受部
１０      目盛り
１１      クッション
１２      結索紐
１３      結索紐
２０      人体
１０１    枕
１０２    袋体
１０３    充填物
１０４    出入口
１０５    筒体
【図１】
0004695121.tif 000002
【図２】
0004695121.tif 000003
【図３】
0004695121.tif 000004
【図４】
0004695121.tif 000005
【図５】
0004695121.tif 000006